(57)【要約】      （修正有）【課題】構造を簡素化して製造コストを抑え、且つ組立作業を容易に行えるとともに、多方向の揺れに対しても確実に物品の落下を防止する。【解決手段】左右に立設した支柱９，９の上下方向に列設された係止孔１０，１０，…に、後端にフックを有する左右一対のブラケット１２，１２を係止し、ブラケット１２，１２により棚板１１を支持してなる物品棚１４における物品落下防止装置１であって、左右の支柱９，９の係止孔１０，１０，…に係止可能なフックを備える左右一対のブラケット部材２，２と、少なくとも棚板１１に陳列される物品Ｂ，Ｂ，…の前方に配置される横杆部６を有し左右のブラケット部材２，２に架設される落下防止部材５と、を備え、ブラケット部材２，２は左右方向に貫通する貫通孔４が設けられているとともに、落下防止部材５は貫通孔４に対して回動不能に係挿される屈曲片８を左右両端に備えている。【選択図】図１
2015144777.tif 000002
【特許請求の範囲】
【請求項１】
左右に立設した支柱の上下方向に列設された係止孔に、後端にフックを有する左右一対のブラケットを係止し、該ブラケットにより棚板を支持してなる物品棚における物品落下防止装置であって、
前記左右の支柱の係止孔に係止可能なフックを備える左右一対のブラケット部材と、少なくとも前記棚板に陳列される物品の前方に配置される横杆部を有し前記左右のブラケット部材に架設される落下防止部材と、を備え、
前記ブラケット部材は左右方向に貫通する貫通孔が設けられているとともに、前記落下防止部材は前記貫通孔に対して回動不能に係挿される延出部と、該延出部の先端から屈曲して延びる返し部と、からなる屈曲片を該落下防止部材の左右両端に備えていることを特徴とする物品落下防止装置。
【請求項２】
前記ブラケット部材は、前記貫通孔が前後方向に複数配置されていることを特徴とする請求項１に記載の物品落下防止装置。
【請求項３】
前記落下防止部材は、前記横杆部の両端から前記ブラケット部材と平行に延びる延設部を有し、前記延設部に前記屈曲片が設けられていることを特徴とする請求項１または２に記載の物品落下防止装置。
【請求項４】
前記横杆部は、左右方向の長さを調節する長さ調整機構を備えていることを特徴とする請求項１ないし３のいずれかに記載の物品落下防止装置。
【発明の詳細な説明】
【技術分野】
【０００１】
本発明は、スーパーマーケットやコンビニエンスストア及び倉庫等で飲料などの容器を陳列または収納する物品棚における物品落下防止装置に関する。
【背景技術】
【０００２】
従来、スーパーマーケットやコンビニエンスストア等で用いられる物品を陳列する物品棚として、平常時は物品の出し入れに支障がなく物品の展覧ができ、且つ地震などの震動による物品の落下を防止することができる物品落下防止装置がある。
【０００３】
例えば、特許文献１に示される物品落下防止装置は、左右一対のブラケット部材と、左右一対のブラケット部材から前方に延びる落下防止片（落下防止部材）と、を備えており、落下防止片は、両端の枢着片をブラケット部材の取付孔（貫通孔）に挿通させ、抜止部材により抜け止めされた状態で左右一対のブラケット部材に取付けられている。ブラケット部材の取付孔と落下防止片の枢着片とは円形であるため、落下防止片が左右一対のブラケット部材に対して回転可能に枢支されている。これにより、物品の落下を防止するとともに、落下防止片を上方向に回動させることで必要な時に物品の出し入れが可能になっている。
【先行技術文献】
【特許文献】
【０００４】
【特許文献１】特開２０１３−１６５８６１号公報（第５頁、第３図）
【発明の概要】
【発明が解決しようとする課題】
【０００５】
しかしながら、特許文献１の物品落下防止装置にあっては、落下防止片が左右一対のブラケット部材に対して回転可能に枢支されているため、例えば地震等の振動により物品棚が上下に揺れた場合、落下防止片が上方に回転して、物品の落下を規制する機能が失われる原因となっていた。また、落下防止片とブラケット部材とを連結するために抜止部材を用いる必要があり、部品点数が多くなるため製造コストがかかるとともに、組立作業が煩雑であった。
【０００６】
本発明は、このような問題点に着目してなされたもので、構造を簡素化して製造コストを抑え、且つ組立作業を容易に行えるとともに、多方向の揺れに対しても確実に物品の落下を防止できる物品落下防止装置を提供することを目的とする。
【課題を解決するための手段】
【０００７】
前記課題を解決するために、本発明の物品落下防止装置は、
左右に立設した支柱の上下方向に列設された係止孔に、後端にフックを有する左右一対のブラケットを係止し、該ブラケットにより棚板を支持してなる物品棚における物品落下防止装置であって、
前記左右の支柱の係止孔に係止可能なフックを備える左右一対のブラケット部材と、少なくとも前記棚板に陳列される物品の前方に配置される横杆部を有し前記左右のブラケット部材に架設される落下防止部材と、を備え、
前記ブラケット部材は左右方向に貫通する貫通孔が設けられているとともに、前記落下防止部材は前記貫通孔に対して回動不能に係挿される延出部と、該延出部の先端から屈曲して延びる返し部と、からなる屈曲片を該落下防止部材の左右両端に備えていることを特徴としている。
この特徴によれば、貫通孔に対して屈曲片の延出部が回転不能に係挿されることで、落下防止部材が上下方向の回転することや左右方向に捻じれることを防止できるとともに、返し部及び横杆部が左右のブラケット部材の側面に係止されることにより、落下防止部材が左右方向に移動して左右のブラケット部材との連結が外れることを防止できる。そのため、地震等の多方向の揺れに対してもブラケット部材と落下防止部材とが相対的に移動することが防止され、物品の落下を確実に防止できる。また、左右一対のブラケット部材と落下防止部材との組立作業が、貫通孔及び屈曲片の係合により完結されるため、部品点数が抑えられ、製造にかかるコスト安価で、且つ組立作業が簡便となる。
【０００８】
前記ブラケット部材は、前記貫通孔が前後方向に複数配置されていることを特徴としている。
この特徴によれば、ブラケット部材の複数の貫通孔を適宜選択して落下防止部材の屈曲片を係合させることにより、落下防止部材の横杆部の位置を前後方向に調節することができるため、奥行きの異なる物品棚に対して適用することができ、汎用性が高い。
【０００９】
前記落下防止部材は、前記横杆部の両端から前記ブラケット部材と平行に延びる延設部を有し、前記延設部に前記屈曲片が設けられていることを特徴としている。
この特徴によれば、ブラケット部材と落下防止部材とが連結時に、延設部と屈曲片の返し部とが、ブラケット部材を左右両側から挟むように配置されるため、ブラケット部材と落下防止部材との左右の相対移動が確実に防止される。
【００１０】
前記横杆部は、左右方向の長さを調節する長さ調整機構を備えていることを特徴としている。
この特徴によれば、長さ調整機構により、横杆部の長さを調節できるようになっており、物品棚の幅に合わせて横杆部の長さを調節することにより、横幅の異なる物品棚に対して適用することができ、汎用性が高い。
【図面の簡単な説明】
【００１１】
【図１】実施例１における物品落下防止装置が取付けられた物品棚を示す斜視図である。
【図２】物品落下防止装置の構造を示す分解斜視図である。
【図３】貫通孔に屈曲片の返し部を挿入した状態を示す斜視図である。
【図４】貫通孔に屈曲片の延出部を挿入した状態を示す斜視図である。
【図５】物品落下防止装置が組み立てられた状態を示す斜視図である。
【図６】横杆部の前後の位置を調整した状態を示す斜視図である。
【図７】物品落下防止装置の変形例１を示す斜視図である。
【図８】物品落下防止装置の変形例２を示す分解斜視図である。
【図９】物品落下防止装置の変形例２における横杆部の長さを調整した状態を示す斜視図である。
【発明を実施するための形態】
【００１２】
本発明に係る物品落下防止装置を実施するための形態を実施例に基づいて以下に説明する。
【実施例１】
【００１３】
実施例１に係る物品落下防止装置につき、図１から図６を参照して説明する。以下、図１の画面左下方側を物品落下防止装置の正面側（前方側）とし、物品落下防止装置の正面視の左右側を物品落下防止装置の左右側として説明する。
【００１４】
図１に示されるように、物品落下防止装置１は、スーパーマーケットやコンビニエンスストア及び倉庫等で飲料などの容器を陳列または収納する物品棚１４に取付けて使用するものである。
【００１５】
図１に示されるように、物品棚１４は、床面に配置または固定される図示しないベース脚と、当該ベース脚の左右両側後端から起立した支柱９，９と、支柱９，９の前面に複数列設された係止孔１０，１０，…に係止される左右一対のブラケット１２，１２（片方のみ図示）と、ブラケット１２，１２に支持された棚板１１と、支柱９，９の間に配置される背板１３と、後述する物品落下防止装置１と、により主に構成されている。棚板１１の前端には、上方に張り出すストッパー部１１ａを有している。また、ブラケット１２，１２は、後端に設けられた図示しないフックにより係止孔１０，１０，…に係止されている。尚、図示しないが、棚板１１及びブラケット１２，１２は、支柱９，９の上下方向に複数設けられており、物品Ｂ，Ｂ，…を複数段に分けて収容できるようになっている。さらに尚、本実施例における物品Ｂ，Ｂ…は、酒類等の飲料を封入したボトル容器として説明する。
【００１６】
図１及び図２に示されるように、物品落下防止装置１は、左右一対のブラケット部材２，２と、ブラケット部材２，２に架設される落下防止部材５と、を備えている。図２に示されるように、ブラケット部材２は、後端側に設けられ支柱９，９の係止孔１０，１０，…に係止可能なフック３，３と、左右方向に貫通した貫通孔４，４，…と、を備えている。この貫通孔４，４，…は、前後方向に長い矩形状の長孔であり、ブラケット部材２の前後方向に所定間隔離間して複数設けられている。このブラケット部材２は、プレス機等により１枚の金属製の平板材を型抜きすることにより形成されている。
【００１７】
図２に示されるように、落下防止部材５は、ブラケット部材２，２間に渡って延びる横杆部６と、横杆部６の両端からブラケット部材２，２に対して平行に延びる延設部７，７と、延設部７，７に固着された正面視略Ｌ字形状の屈曲片８，８と、を備えている。この横杆部６と延設部７，７とは、金属製の線状部材を屈曲させることにより形成されているため、一定の強度を保ちつつも軽量化されている。尚、本実施例では、屈曲片８，８が延設部７，７の後端側に固着されているが、延設部７，７のいずれの位置に固着されていても構わない。
【００１８】
屈曲片８は、延設部７から外側に向けて水平に延びる延出部８ａと、延出部８ａから垂直に折れ曲がる返し部８ｂと、から成る。この延出部８ａ及び返し部８ｂは、断面視でブラケット部材２の貫通孔４よりも若干小さい矩形状にそれぞれ形成されている。尚、この返し部８ｂは、延出部８ａから垂直に折れ曲がっていたが、必ずしも垂直でなくともよい。
【００１９】
次に、物品落下防止装置１の組立作業の一例について説明する。物品落下防止装置１は、落下防止部材５の左右両端にブラケット部材２，２を連結させることにより形成される。ブラケット部材２，２は、同一形状であるため、主に右側の連結態様を例に挙げて説明する。
【００２０】
図３に示されるように、先ず、貫通孔４，４，…が上下方向を向くようにブラケット部材２を倒し、棚板１１の大きさや物品Ｂ，Ｂ，…の陳列態様に適した位置の貫通孔４に屈曲片８の返し部８ｂを挿通させる。
【００２１】
その後、図４に示されるように、ブラケット部材２を起立させるように回転させることにより、貫通孔４に対して延出部８ａが挿通され、ブラケット部材２と落下防止部材５とが連結された状態となる。図５に示されるように、貫通孔４に対して延出部８ａが挿通されると、延出部８ａの外周面が貫通孔４の内周面に囲繞された状態となり、ブラケット部材２と落下防止部材５とが相対的な回動、または上下及び前後の相対移動が規制される。また、ブラケット部材２の内側面２ａが落下防止部材５の延設部７の外側に配置されるとともに、ブラケット部材２の外側面２ｂが屈曲片８の返し部８ｂの内側面８ｃの内側に配置されるため、ブラケット部材２と落下防止部材５との左右の相対移動が規制されることとなる。また、同様の組立作業により反対側のブラケット部材２を落下防止部材５の左側端部に連結させることにより、平面視コ字形状の物品落下防止装置１が形成される。
【００２２】
このように形成された物品落下防止装置１を、ブラケット部材２，２のフック３，３を利用して支柱９，９に取付けると、図１に示したように、物品落下防止装置１と物品棚１４の背板１３とが、棚板１１の上に陳列された物品Ｂ，Ｂ，…を取り囲むように配置される。これによれば、物品棚１４に対して地震等の多方向の揺れが作用し、物品Ｂ，Ｂ，…が前後に移動した場合は、横杆部６と背板１３とにより物品Ｂ，Ｂ，…の前後移動を規制するとともに、物品Ｂ，Ｂ，…が左右に移動した場合は、ブラケット部材２，２と延設部７，７とにより物品Ｂ，Ｂ，…の左右移動を規制するようになる。尚、この物品落下防止装置１は、支柱９，９の係止孔１０，１０，…の選択により、高さ位置を適宜変更できるようになっている。
【００２３】
以上説明したように、物品落下防止装置１の組立完了時には、屈曲片８の延出部８ａが貫通孔４に対して係挿されることで、ブラケット部材２，２と落下防止部材５との相対回転移動、上下前後の相対移動、及びブラケット部材２，２と落下防止部材５との捻じれを規制できる。また、屈曲片８の返し部８ａによりブラケット部材２と落下防止部材５との抜け出しを防止できるともに、ブラケット部材２，２の間に落下防止部材５の横杆部６が配置されることによりブラケット部材２，２同士の近接が防止される。そのため、地震等の多方向の揺れに対しても物品Ｂ，Ｂ，…の移動を規制した状態が保たれ、物品の落下を確実に防止できる。
【００２４】
また、左右一対のブラケット部材２，２と落下防止部材５との組立作業が、貫通孔４，４及び屈曲片８，８の係合により完結されるため、例えばボルト・ナット等の特段の固定部材を用いる必要がない。そのため、物品落下防止装置１を構成する部品点数が抑えられ、製造にかかるコストを抑えることができるとともに、組立作業を容易に行うことができる。
【００２５】
また、物品落下防止装置１の組立完了時には、落下防止部材５の延設部７及び屈曲片８の返し部８ａが、ブラケット部材２を左右両側から挟むように配置されるため、ブラケット部材２と落下防止部材５との左右の相対移動が確実に防止される。
【００２６】
また、前述したようにブラケット部材２は、貫通孔４，４，…が前後方向に複数配置されている。そのため、図６に示されるように、例えば、落下防止部材５の屈曲片８，８を、最も後方に位置する貫通孔４に係合させることにより、横杆部６の位置を後方側に移動させることができる。このように、落下防止部材５の横杆部６の位置を前後方向に調節することができるため、奥行きの異なる棚板を有した物品棚や、陳列された物品Ｂ，Ｂ，…の数量や大きさ等に対して適用することができるようになり、汎用性が高くなっている。
【００２７】
さらに、図６に示されるように、落下防止部材５の屈曲片８，８を、最も後方に位置する貫通孔４に係合させた状態であっても、落下防止部材５の横杆部６が、ブラケット部材２の前端と同じ位置、またはブラケット部材２の前端よりも前方に配置されるようになっている。これにより、複数の貫通孔４，４，…のいずれに屈曲片８を係合させても、ブラケット部材２の前端が落下防止部材５の横杆部６よりも前方に配置されないため、美観が保たれる。
【００２８】
尚、落下防止部材５の延設部７，７に屈曲片８，８がそれぞれ設けられているため、図１及び図５に示されるように、ブラケット部材２，２の貫通孔４，４と屈曲片８，８との連結箇所から延設部７，７の長さ分前方に横杆部６を配置できる。したがって、延設部の長さが異なる落下防止部材を各種用意すれば、１つの貫通孔を有したブラケット部材に対しても、落下防止部材の横杆部の前後の位置を調節できるようになる。
【００２９】
また、物品落下防止装置の変形例１として次のようなものもある。例えば、図７に示されるように、物品落下防止装置１００は、落下防止部材５１の横杆部６１が、ブラケット部材２，２の間隔よりも長くなるように設定され、落下防止部材５１の延設部７，７に対して、屈曲片８１，８１の延出部８１ａ，８１ａが対向するように内側に延びて設けられている。このように、ブラケット部材２，２の貫通孔４，４の外側から屈曲片８１，８１を係合するようにしてもよい。
【００３０】
また、物品落下防止装置の変形例２を図８及び図９を用いて説明する。図８に示されるように、物品落下防止装置１０１における落下防止部材５２の横杆部６２は、複数に分割された分割体１５，１５，…（長さ調整機構）と、延設部７，７から互いに対向するように延びて固着された左右の端部片１６，１７と、から構成されている。図８の拡大部に示されるように、分割体１５は、一方端側に突起する雄ネジ部１８と、他方側に設けられる雌ネジ部１９と、を備え、この雄ネジ部１８と雌ネジ部１９とにより、隣り合う分割体１５同士が連結可能となっている。また、端部片１６には、雄ネジ部１８が形成されているとともに、端部片１７には、雌ネジ部１９が形成されている。そのため、連結した複数の分割体１５，１５，…を端部片１６，１７に連結させることにより横杆部６２が形成されるようになる。
【００３１】
図９に示されるように、例えば、接続する分割体１５，１５，…の数量を減らすことにより、横杆部６２の左右方向の長さを短くすることができる。このように、横杆部６２の長さを調節できるようになっているため、棚板の幅に合わせて横杆部６２の長さを設定することで、横幅の異なる棚板に対して適用することができる。
【００３２】
尚、長さ調整機構は、分割体１５，１５，…のみに限られず、例えば、横杆部をテレスコピック状に形成することで長さを調節できるようになっていてもよい。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例では、金属製のブラケット部材２及び落下防止部材５として説明したが、物品Ｂ，Ｂ，…の移動を規制できる一定の強度を有する部材であれば樹脂等のその他の材料で構成してもよい。
【００３５】
また、落下防止部材５に対してブラケット部材２を移動させることで貫通孔４と屈曲片８とを連結する態様について説明したが、ブラケット部材２に対して落下防止部材５を移動させて連結させてもよいし、ブラケット部材２と落下防止部材５とを共に移動させて連結させてもよい。
【００３６】
また、屈曲片８は、延設部７に対して溶接などにより固着されていたが、これに限られず、ビス等の固定手段により固着されてもよい。さらに、延設部７は必ずしも設けられることに限られず、延設部を省略して横杆部６の両端部に屈曲片８が固着されてもよい。
【００３７】
また、ブラケット部材２の貫通孔４と屈曲片８の延出部８ａとは、略同一の矩形状に形成されることにより、貫通孔４に対して延出部８ａが回動不能に係挿されるようになっていたが、これに限らず、延出部が貫通孔に回動不能に係挿できれば、貫通孔及び延出部はどのような形状であっても構わない。
【００３８】
また、前記実施例ではブラケット部材２のフック３及びブラケット１２のフックは、いずれも共通の係止孔１０に係止されているが、例えば支柱９に、ブラケット部材２のフック３用の係止孔と、ブラケット１２のフック用の別の係止孔とがそれぞれ形成されていてもよい。
【符号の説明】
【００３９】
１                物品落下防止装置
２                ブラケット部材
２ａ              ブラケット部材の内側面
２ｂ              ブラケット部材の外側面
３                フック
４                貫通孔
５                落下防止部材
６                横杆部
７                延設部
８                屈曲片
８ａ              延出部
８ｃ              延出部の内側面
８ｂ              返し部
９                支柱
１０              係止孔
１１              棚板
１１ａ            ストッパー部
１２              ブラケット
１３              背板
１４              物品棚
１５              分割体（長さ調整機構）
１６，１７        端部片
１８              雄ネジ部
１９              雌ネジ部
５１，５２        落下防止部材
６１，６２        横杆部
８１              屈曲片
８１ａ            延出部
１００，１０１    物品落下防止装置
Ｂ                物品
【図１】
2015144777.tif 000003
【図２】
2015144777.tif 000004
【図３】
2015144777.tif 000005
【図４】
2015144777.tif 000006
【図５】
2015144777.tif 000007
【図６】
2015144777.tif 000008
【図７】
2015144777.tif 000009
【図８】
2015144777.tif 000010
【図９】
2015144777.tif 000011